(57)【要約】      （修正有）【課題】エアークッション、座布団等の空気袋物に取り付けた給排気口において、軽く押圧するだけで空気の排出ができ、又、確実にシールができる逆止弁構造を提供する。【解決手段】中央に弁が形成され、該弁部の外周に切欠部が形成され、該切欠部の外周から外縁部までは平面部が形成され、該弁と該平面部の一部とが連結部で一体に連結された弁体と、該弁体の一側に重合して設けられ、且つ該弁体を嵌め込む円筒部を有し、該円筒部の上部面は該弁の外径よりも小径の中央口を形成し、該中央口に接続し該弁と反対側に突出した接続円筒と、該中央口に対向する接続円筒天井から該中央口側に突出した押棒と該接続円筒の側壁に給排気口を有するハウジングにより構成される押棒を備えた逆止弁構造とする。且つ、該弁体は、頂部外形より下部外径をおおきくし、該弁体を嵌め込む円筒部内径は該弁体の下部外径よりも小さくする。【選択図】図１
2006138459.tif 000002
【特許請求の範囲】
【請求項１】
中央に弁が形成され、該弁の外周に切欠部が形成され、該切欠部の外周から外縁部までは平面部が形成され、該弁と該平面部の一部とが連結部で一体に連結された弁体と、該弁体の一側に重合して設けられ、且つ該弁体を嵌め込む円筒部を有し、該円筒部の上部面は該弁外径よりも小径の中央口を形成し、該中央口に接続し該弁と反対側に突出した接続円筒と、該中央口に対向する接続円筒天井から該中央口側に突出した押棒と、該接続円筒の側壁に給排気口を有するハウジングにより構成される押棒を備えた逆止弁構造。
【請求項２】
頂部には該弁が形成され、下部は開口する截頭円錐外形の中空円錐構造で、頂部外径より下部外径が大きいことを特徴とする請求項１記載の弁体構造。
【請求項３】
弁体を嵌め込むハウジングの円筒部内径は、弁体の下部外径よりも小さいことを特徴とする請求項１記載のハウジング構造。
【発明の詳細な説明】
【発明の詳細な説明】
【技術分野】
【０００１】  この発明は、空気を封入して使用する軟質塩ビ或いはポリウレタンゴムなどの軟質プラスチック製のエアークッション、座布団、マットレス、浮輪、プールなどに使用する給排気口の構造に関するものである。
【背景技術】
【０００２】  従来の技術としては、例えば実用新案出願公告昭３７−７２公報に記載されているようなものが知られており構造を図５に示す。すなわち外形図及び断面図に示すように弁座底辺に取り付け部、上部には空気給排気口とこれに接続し給排気口を塞ぐ栓体を形成し、図４に示すように給排気口内壁の下部には隆起状喉部を形成する。更に断面図及びＡ−Ａ矢視図に示すように該隆起喉部の下部には半円形の切開部を設けて弁体を形成する。【０００３】  これにより取付部を玩具、浮輪等の空気袋物に取り付け、給排気口から空気を吹き込むと弁体が開き空気袋物を膨らませる。弁体は逆止弁として作用し空気の漏出を防止し、更に栓体を給排気口に差し込むことで、二重の漏出防止を行う。又、空気袋物の空気を排出する時は、前記半円形切開部の両終端位置に対応する弁体外部を押圧すれば切開部の弁体が変形してシール部に隙間が生じ空気の排出が可能となる。
【発明が解決しようとする課題】
【０００４】  しかしながら、このような従来の逆止弁構造には機械的強度を得るためとシール面を大きく取るために隆起状喉部を厚肉構造としており、それ故に弁体外部を大きな力で押圧しないと空気の排出ができないこと、該押圧の位置は弁体外部の前記半円形切開部の両終端に対応する位置に限定され、その位置は外部から明確に知ることはできないので、それから外れた場所を押圧しても空気の排出がうまく行えないこと、弁体シール面が弁体の前記半円形切開部という小さな面積であるため確実なシールができないこと、などの問題があった。
【０００５】  本発明は、上述のような従来の問題に着目してなされたもので、押圧個所が明確で、軽く押圧するだけで空気の排出ができ、シール面を大きくして確実にシールができる給排気口を提供することを目的としている。
【課題を解決するための手段】
【０００６】  上述のような目的を達成するために、給排気口の構造はハウジングと弁体より構成され、弁体は截頭円錐外形の中空円錐構造で、頂部は弁を有する平面、側部は円錐筒、円錐筒下部は開口する。頂部中央に弁が形成され、該弁の外周に切欠部が形成され、該切欠部の外周から外縁までは平面部、該弁と該平面の一部は連結部で一体に連結され、且つ弁体の下部外径は頂部外径より少し大きくして成る。
【０００７】  又ハウジングは、弁体を嵌め込む円筒部と、円筒部中央に設けられた中央口と、中央口に連続する接続円筒と、接続円筒天井から中央口側に突き出した押棒と、接続円筒の側壁に給排気口を有する。且つ弁体を嵌め込む円筒部内径は弁体の下部外径よりも少し小さくしてなり、中央口は弁外径よりも小さくしてなる。
【発明の効果】
【０００８】  弁体をハウジング円筒部に嵌め込むと、該弁体の下部外径は該円筒内径より少し大きくしてなるため、円筒部から側圧を受け、この影響で弁を有する弁体頂部の面がハウジングの中央口を形成する円筒上面に押圧密着してシールを確実にするとともに、弁体はハウジングにより保持される。又、弁の外径を中央口に対してより大きく取ることによってシール性が向上する。空気袋物の空気を排出する時は、ハウジングの接続円筒上部を外部から押圧することにより、押棒が弁を押し、弁が開いて空気が排出される。
【発明の実施の形態、実施例】
【０００９】  以下、本発明の実施例について図１乃至図４で説明する。弁体１及びハウジング６は軟質塩ビやポリウレタンゴムなどの軟質合成樹脂製で図１は逆止弁組立図、図２は弁体、図３はハウジングである。図２の弁体は頂部に弁２が形成され、弁２の外周に切欠部３が形成され、切欠部３の外周に平面部４を形成し、弁２と平面部４の一部は連結部５で一体に連結され、下部外径は頂部外径より少し大きくして成る下部が開口した中空截頭円錐構造である。
【００１０】  図３のハウジングは空気袋物取り付け部８と、弁体１を収納する円筒部７と、円筒上部面９に中央口１０を有し、中央口１０に接続し上部に突出した接続円筒１１と、中央口１０に対向する接続円筒１１の天井から中央口１０側に突き出した押棒１２と、接続円筒１１の側壁に給排気口１３とこれを塞ぐ栓体１４を有する。
【００１１】  図４は押棒１２を弁２に取り付けた別の方法を示す。この場合、押棒１２の重量を支持するため、弁２と切欠部３の外周の平面部４との連結部５は３箇所以上とする。図では４箇所としている。
【図面の簡単な説明】
【図１】本発明に係わる逆止弁組立図で、押棒をハウジングに取り付けた方法である。
【図２】本発明に係わる弁体を示す部品図である。
【図３】本発明に係わるハウジングを示す部品図である。
【図４】本発明に係わる逆止弁組立図で、押棒を弁に取り付けた方法である。
【図５】背景技術である実用新案出願公告昭３７−７２公報の構造図である。
【符号の説明】
１    弁体
２    弁
３    切欠部
４    平面部
５    連結部
６    ハウジング
７    円筒部
８    取付部
９    上部面
１０  中央口
１１  接続円筒
１２  押棒
１３  給排気口
１４  栓体
【図１】
2006138459.tif 000003
【図２】
2006138459.tif 000004
【図３】
2006138459.tif 000005
【図４】
2006138459.tif 000006
【図５】
2006138459.tif 000007